(57)【要約】【課題】電力会社からの電力使用量は零であるにもかかわらず、送電線潮流のアンバランス等により、電力系統が連結された２電線路に電力会社からの供給電力による受電用電力量と送電用電力量が発生しても計量しない電力量計を得る。【解決手段】送電線潮流のアンバランス等により、電力系統が連結された電線路２ａを通じてもう一方の電線路２ｂにループバックが発生して、入力回路（受電）１１ａにパルスが入力して受電カウンタ１５ａの値が、1つ増えた場合でも、直後に入力回路（送電）１１ｂにパルスが入力して、受電カウンタ１５ａの値が1つ減り、送電カウンタ１５ｂの値は変化せず、出力回路（受電）１７ａおよび出力回路（送電）１７ｂからもパルスを出力せずに計量しない。【選択図】図２
2008191038.tif 000002
【特許請求の範囲】
【請求項１】
電力系統が連結された第1及び第２の電線路の送電電力及び受電電力をパルス出力する複合発信装置と、
上記複合発信装置の各電線路からのパルスを合成するパルス合成器と、
上記パルス合成器からのパルスに対して、送電用と受電用を比較して差分のみを出力する差分合成器と、
上記差分合成器からのパルスに基づいて計量値を表示する送電用と受電用のパルス受量器と、を備えたことを特徴とする電力量計。
【請求項２】
上記パルス合成器は、上記複合発信装置の各電線路からのパルス数にそれぞれの電線路の合成変成比に基づく重み付けを施して合成し、
上記送電用と受電用のパルス受量器は、上記差分合成器からのパルスを合成変成比及び合成電線路数に基づいて計量値を表示することを特徴とする請求項１に記載の電力量計。
【請求項３】
上記差分合成器は、上記第1及び第２の電線路の合成変成比を入力する合成変成比入力部と、
受電用パルス合成器から出力されたパルスと送電用パルス合成器から出力されたパルスとを比較し、その差分が上記合成変成比入力部から入力された合成変成比に基づく規定値に達した場合のみパルスを出力する演算回路部と、を備えたことを特徴とする請求項１又は請求項２に記載の電力量計。
【請求項４】
上記差分合成器は、上記合成変成比入力部から入力された合成変成比の比率に基づいた送電用パルスと受電用パルスの比較により、送電用パルスが規定値に達した場合は送電用出力回路からパルスを出力し、受電用パルスが規定値に達した場合は受電用出力回路からパルスを出力することを特徴とする請求項１から請求項３の何れかに記載の電力量計。
【請求項５】
上記差分合成器は、送電用パルスと受電用パルスが同比で入力された場合は、送電用パルスと受電用パルスを相殺することを特徴とする請求項１から請求項４の何れかに記載の電力量計。
【発明の詳細な説明】
【技術分野】
【０００１】
この発明は、電力系統が連結されたループ方式の電線路の送電電力あるいは受電電力を計量する電力量計に関するものである。
【背景技術】
【０００２】
従来の電力系統が連結されたループ方式の電線路では、送電線潮流のアンバランス等により第１及び第２の電線路の電流方向が同じにならず、逆向きになる場合がある（例えば、特許文献１参照）。
【０００３】
【特許文献１】特開平１−２５７２７３号公報（発明が解決しようとする課題の欄、第２図）
【発明の開示】
【発明が解決しようとする課題】
【０００４】
上記従来技術のような電力系統が連結されたループ方式における電線路で電力量を計量する電力量計では、電力会社からの電力使用量は零であるにもかかわらず、送電線潮流のアンバランス等により、電力系統が連結された電線路に電力会社からの供給電力による受電用電力量と送電用電力量が計量される場合があった。例えば、片方の電線路の発電機で自家発電し、もう一方の電線路の負荷で自家発電した電力を消費した場合、電力会社からの電力使用量は零であるにもかかわらず、電力系統が連結された電線路を通じてもう一方の電線路にループバックし、それぞれの電線路に電力会社からの供給電力による受電用電力量と送電用電力量が計量されることがある。
【０００５】
また、その際に受電用電力量計と送電用電力量計の電力使用量は同じであるが、受電用と送電用電力量の単価が異なる為、料金に換算すると差が出てしまうという課題があった。
【０００６】
この発明は、電力量計における上記のような課題を解決するためになされたもので、電力会社からの電力使用量は零であるにもかかわらず、送電線潮流のアンバランス等により、電力系統が連結された２電線路に電力会社からの供給電力による受電用電力量と送電用電力量が発生しても計量しない電力量計を提供することを目的としている。
【課題を解決するための手段】
【０００７】
この発明における電力量計は、電力系統が連結された第1及び第２の電線路の送電電力及び受電電力をパルス出力する複合発信装置と、上記複合発信装置の各電線路からのパルスを合成するパルス合成器と、上記パルス合成器からのパルスに対して、送電用と受電用を比較して差分のみを出力する差分合成器と、上記差分合成器からのパルスに基づいて計量値を表示する送電用と受電用のパルス受量器と、を備えたものである。
【発明の効果】
【０００８】
この発明における電力量計によれば、送電電力と受電電力の差分のみを出力する差分合成器を備えているため、送電線潮流のアンバランス等により、電力系統が連結された第１及び第２の電線路にループバックが発生しても、受量器で計量しない。従って、計量した場合に発生する受電用電力量と送電用電力量の単価の違いによる料金徴収が発生しない。
【発明を実施するための最良の形態】
【０００９】
以下に添付図面を参照して、この発明における電力量計について好適な実施の形態を説明する。なお、この実施の形態によりこの発明が限定されるものではない。
【００１０】
実施の形態１．
図1は実施の形態１における電力系統が連結されたシステムにおける電力量計のブロック図である。図１において、需要家１は、電線路２を通じて電力の送電および受電を行い、自家発電機１ａもしくは１ｃであれば送電、負荷１ｂもしくは１ｄであれば受電となる。
【００１１】
電線路２に電力が通過した場合、複合発信装置３より使用電力量に比例したパルスが出力され、そのパルスを基に受電用パルス合成器４ａおよび送電用パルス合成器４ｂからなるパルス合成器４は、それぞれの電線路２ａ，２ｂの合成変成比に基づく重み付けを施してパルスを出力する。例えば、２電線路とも合成変成比が２４００である場合、変換比は共に２４００／２４００＋２４００＝１／２となり、２パルス入力すると１パルス出力する動作となる。
【００１２】
これについて更に説明する。即ち、一般に、パルス合成システムにおけるパルス合成器として、「５＋５Ａ方式」が採用され、この方式のパルス合成器においては、複数の複合発信装置が同時にパルスを出力することになる。そのために上記実施の形態１においては、パルス合成器にて変換比という重み付けを行い、定格出力パルス定数を超えないように、出力パルスを調整している。この調整のために電線路の合成変成比を設定し、変換比という重み付けを決定している。なお、電線路の合成変成比とは、後述する変圧器の変圧比と、後述する変流器の変流比を合成したもので、上記の例においては、変圧器の変圧比を６６００／１１０Ｖとし、変流器の変流比を２００／５Ａの合成、即ち、６６００／１１０×２００／５＝２４００として算出した電線路の合成変成比を挙げて説明したものである。
【００１３】
また、受電用パルス合成器４ａと送電用パルス合成器４ｂのパルス出力を基に、送電用と受電用を比較して差分のみを出力する差分合成器５と、差分合成器５からのパルスを合成変成比、合成電線路数に基づいて、即ち、上記変換比の逆数を乗算して計量値を表示する受電用パルス受量器６ａおよび受電用パルス受量器６ｂからなるパルス受量器６で使用電力量を表示する。
【００１４】
なお、複合発信装置３、パルス合成器４、差分合成器５、及びパルス受量器６により電力量計７が構成され、電線路２ａ，２ｂの電流は所定変流比の変流器８ａ，８ｂにより検出され、電線路２ａ，２ｂと需要家１との間には所定変圧比の変圧器９ａ，９ｂが配置される構成になっている。
【００１５】
かかる構成において、例えば、負荷１ｂと負荷１ｄで電力消費した場合、受電状態となり、受電用複合発信装置３ａ１と受電用複合発信装置３ｂ１が動作し、使用電力量に比例したパルスが受電用パルス合成器４ａに入力され、受電用パルス合成器４ａから出力して差分合成器５に入力される。その際、差分合成器５は受電用パルス合成器４ａと送電用パルス合成器４ｂのパルスを比較して差分のみ出力するが、送電用パルス合成器４ｂからパルスは出力しないので、受電用パルスのみ出力して受電用パルス受量器６ａが使用電力量の表示をする。
【００１６】
また、自家発電機１ａと自家発電機１ｃで電力供給した場合、送電状態となり、送電用複合発信装置３ａ２と送電用複合発信装置３ｂ２が動作し、使用電力量に比例したパルスが送電用パルス合成器４ｂに入力され、送電用パルス合成器４ｂから出力して差分合成器５に入力される。その際、差分合成器５は受電用パルス合成器４ａと送電用パルス合成器４ｂのパルスを比較して差分のみ出力するが、受電用パルス合成器４ａからパルスは出力しないので、送電用パルスのみ出力して送電用パルス受量器６ｂが使用電力量の表示をする。
【００１７】
なお、自家発電機１ａで自家発電し、自家発電された電力を負荷１ｄで消費しているような状態（電力会社からの電力使用量は０）でも、送電線潮流のアンバランス等により、電力系統が連結された電線路２ａを通じてもう一方の電線路２ｂにループバックすることがある。その場合、受電用複合発信装置３ａ１と送電用複合発信装置３ｂ２が動作し、それぞれ使用電力量に比例したパルスが、受電用パルス合成器４ａおよび送電用パルス合成器４ｂ入力され、受電用パルス合成器４ａおよび送電用パルス合成器４ｂから出力して差分合成器５に入力される。その際、差分合成器５は受電用パルス合成器４ａと送電用パルス合成器４ｂのパルスを比較して差分のみ出力するが、受電用パルス合成器４ａと送電用パルス合成器４ｂのパルス数が同量なので差分合成器５内部でパルスを相殺し、パルスを出力せず、受電用パルス受量器６ａにも送電用パルス受量器６ｂにも使用電力量の表示はしない。
【００１８】
図２は実施の形態１における差分合成器の構成を示すブロック図で、この図において、差分合成器５は、受電用パルス合成器４ａもしくは送電用パルス合成器４ｂからの出力パルスを、入力回路（受電）１１ａもしくは入力回路（送電）１１ｂから入力し、演算回路部１２で比較演算を行う。また、演算回路部１２は比較演算回路部１３とその結果を記憶する記憶装置１４を備え、記憶装置１４は受電カウンタ１５ａと送電カウンタ１５ｂを有している。
【００１９】
例えば、２つの電線路における合成変成比が同じであれば、同じ値を合成変成比入力部１６により設定し、演算回路部１２で差分出力する為に必要な規定値がセットされる。上記によりセットされた規定値と記憶装置１４の受電カウンタ１５ａおよび送電カウンタ１５ｂを比較し、規定値を越えた場合のみ出力回路（受電）１７ａもしくは出力回路（送電）１７ｂから出力する。
【００２０】
例えば、送電線潮流のアンバランス等により、電力系統が連結された電線路２ａを通じてもう一方の電線路２ｂにループバックが発生して、入力回路（受電）１１ａにパルスが入力してカウンタ（受電）１５ａの値が、1つ増えた場合でも、直後に入力回路（送電）１１ｂにパルスが入力して、受電カウンタ１５ａの値が1つ減り、送電カウンタ１５ｂの値は変化せず、差分合成器５でパルスが相殺され、計量しない。
【００２１】
図３は実施の形態１における差分合成器５の動作を示すフローチャート図で、差分合成器５の入力回路（受電）１１ａもしくは入力回路（送電）１１ｂからパルスが入力し、出力回路（受電）１７ａもしくは出力回路（送電）１７ｂからパルスを出力するフローを示している。
【００２２】
最初に、出力回路（受電）１７ａからパルスを出力する場合について説明する。差分合成器５はいかなる場合でもパルス入力スタンバイ状態となっており、入力回路（受電）１１ａにパルスが入力して（ステップＳ１）、入力回路判定を行う（ステップＳ２）。
【００２３】
次に、入力回路判定（ステップＳ２）の判定結果より、受電カウンタ１５ａの値を＋１カウントする（ステップＳ３ａ）。
【００２４】
次に、受電カウンタ１５ａの値から送電カウンタ１５ｂの値を減算する（ステップＳ４ａ）。その際に、送電カウンタ１５ｂの値が＋１カウントされていれば、相殺して受電カウンタ１５ａの値も送電カウンタ１５ｂの値も−１減算する。
【００２５】
次に規定値判定し（ステップＳ５ａ）、規定値未満であれば、ステップＳ１からのフローを繰り返す。規定値以上であれば、受電カウンタ１５ａの値をクリアし（ステップＳ６ａ）、その後、出力回路（受電）１７ａからパルスを出力する。なお、合成変成比が２電線路とも同じである場合、変換比は１／２となる為、規定値は２となり、入力回路（受電）１１ａから連続して２パルス入力されれば、出力回路（受電）１７ａから１パルス出力する動作となる。
【００２６】
次に、出力回路（受電）１７ｂからパルスを出力する場合について説明する。差分合成器５は、いかなる場合でもパルス入力スタンバイ状態となっており、入力回路（送電）１１ｂにパルスが入力して（ステップＳ１）、入力回路判定を行う（ステップＳ２）。
【００２７】
次に、入力回路判定（ステップＳ２）の結果より、送電カウンタ１５ｂの値を＋１カウントする（ステップＳ３ｂ）。
【００２８】
次に、送電カウンタ１５ｂの値から受電カウンタ１５ａの値を減算する（ステップＳ４ｂ）。その際に、受電カウンタ１５ａの値が＋１カウントされていれば、相殺して送電カウンタ１５ｂの値も受電カウンタ１５ａの値も−１減算する。
【００２９】
次に規定値判定し（ステップＳ５ｂ）、規定値未満であれば、ステップＳ１からのフローを繰り返す。規定値以上であれば、送電カウンタ１５ｂの値をクリアし（ステップＳ６ｂ）、その後、出力回路（送電）１７ｂからパルスを出力する。
【００３０】
以上のように、この発明の実施の形態１に係る電力量計によれば、送電線潮流のアンバランス等により、電力系統が連結された電線路２ａを通じてもう一方の電線路２ｂにループバックが発生しても計量しなくなり、計量した場合に発生する受電用と送電用電力量の単価の違いによる料金徴収が発生しない。
【産業上の利用可能性】
【００３１】
この発明による電力量計は、電力系統が連結されたループ方式の電線路における電力量計として利用できる。
【図面の簡単な説明】
【００３２】
【図１】この発明の実施の形態１における電力系統が連結されたシステムにおける電力量計のブロック図である。
【図２】この発明の実施の形態１における差分合成器のブロック図である。
【図３】この発明の実施の形態１における差分合成器のフローチャート図である。
【符号の説明】
【００３３】
１  需要家
２  電線路
３  複合発信装置
４  パルス合成器
５  差分合成器
６  パルス受量器
７  電力量計
１１  入力回路
１２  演算回路部
１３  比較演算回路部
１４  記憶装置
１５  カウンタ
１６  合成変成比入力部
１７  出力回路
【図１】
2008191038.tif 000003
【図２】
2008191038.tif 000004
【図３】
2008191038.tif 000005